(57)【要約】【課題】短時間で着ることができ、身体にフィットする二部式着物を提供する。【解決手段】上衣および下衣に分離可能な二部式着物であって、上衣は、身八つ口の下方において、前身頃と後身頃とが分離されており、後身頃の左右両脇に取り付けられた後身頃脇紐と、前身頃の左右両脇に取り付けられた前身頃脇紐と、を有する。前身頃、後身頃のそれぞれに胸部分よりもウェスト部分の寸法が小さくなるように、ダーツ又はタックを設ける。右（左）前身頃の襟の内側に、左（右）前身頃脇紐を通す右（左）前身頃ループを取り付ける。下衣は、筒状のスカートである。着付け方法は、腕通しステップと、後身頃紐結びステップと、ループに紐を通すループ通しステップと、前身頃紐結びステップと、下衣着用ステップとからなる。【選択図】図８
2018131725.tif 000002
【特許請求の範囲】
【請求項１】
上衣および下衣に分離可能な二部式着物であって、
前記上衣は、
左身八つ口の下方において互いに分離された左前身頃と左後身頃と、
右身八つ口の下方において互いに分離された右前身頃と右後身頃と、
前記左後身頃の脇に取り付けられた左後身頃脇紐と、
前記右後身頃の脇に取り付けられた右後身頃脇紐と、
前記左前身頃の脇に取り付けられた左前身頃脇紐と、
前記右前身頃の脇に取り付けられた右前身頃脇紐と
前記右前身頃の襟の内側であってウェストの位置に取り付けた前記左前身頃脇紐を通す右前身頃ループと、
前記左前身頃の襟の内側であってウェストの位置に取り付けた前記右前身頃脇紐を通す左前身頃ループと
を有する二部式着物。
【請求項２】
上衣および下衣に分離可能な二部式着物であって、
前記上衣は、
左身八つ口の下方において互いに分離された左前身頃と左後身頃と、
右身八つ口の下方において互いに分離された右前身頃と右後身頃と、
前記左後身頃の脇に取り付けられた左後身頃脇紐と、
前記右後身頃の脇に取り付けられた右後身頃脇紐と、
前記右前身頃の襟の内側に取り付けた右前身頃襟紐と、
前記左前身頃の襟の内側に取り付けた左前身頃襟紐と、
前記右前身頃襟紐を通すべく、前記左前身頃の脇に取り付けた左前身頃脇ループと、
前記左前身頃襟紐を通すべく、前記右前身頃の脇に取り付けた右前身頃脇ループと
を有する二部式着物。
【請求項３】
前記左前身頃、前記左後身頃、前記右前身頃、前記右後身頃のそれぞれに胸部分よりもウェスト部分の寸法が小さくなるように、ダーツ又はタックを設けたことを特徴とする請求項１又は請求項２に記載の二部式着物。
【請求項４】
前記左前身頃、前記左後身頃、前記右前身頃、前記右後身頃のそれぞれのウェスト部分よりも下方において、水平方向の広がりを設けたことを特徴とする請求項１から請求項３までのいずれか１項に記載の二部式着物。
【請求項５】
前記下衣は、筒状のスカートであることを特徴とする請求項１から請求項４までのいずれか１項に記載の二部式着物。
【請求項６】
前記下衣の上部に天地方向に延在するファスナーを設けたことを特徴とする請求項５に記載する二部式着物。
【請求項７】
前記下衣の上部に水平方向に延在する幅広ゴムを設けたことを特徴とする請求項５又は６に記載する二部式着物。
【請求項８】
左身八つ口の下方において互いに分離された左前身頃と左後身頃と、
右身八つ口の下方において互いに分離された右前身頃と右後身頃と、
前記左後身頃の脇に取り付けられた左後身頃脇紐と、
前記右後身頃の脇に取り付けられた右後身頃脇紐と、
前記左前身頃の脇に取り付けられた左前身頃脇紐と、
前記右前身頃の脇に取り付けられた右前身頃脇紐と
前記右前身頃の襟の内側であってウェストの位置に取り付けた前記左前身頃脇紐を通す右前身頃ループと、
前記左前身頃の襟の内側であってウェストの位置に取り付けた前記右前身頃脇紐を通す左前身頃ループと
を有する上衣と、
筒状のスカートからなる下衣と
からなる二部式着物を用いた着付け方法であって、
前記上衣の袖に左右の腕を通す腕通しステップと、
前記左後身頃脇紐と前記右後身頃脇紐とを前で結ぶ後身頃紐結びステップと、
前記左前身頃脇紐を前記右前身頃ループに通し、前記右前身頃脇紐を前記左前身頃ループに通すループ通しステップと、
前記左前身頃脇紐と前記右前身頃脇紐とを背中で交差させて、身体の前で結ぶ前身頃紐結びステップと、
前記下衣に両足を通して、腰まで引き上げる下衣着用ステップと
からなる二部式着物の着付け方法。
【請求項９】
左身八つ口の下方において互いに分離された左前身頃と左後身頃と、
右身八つ口の下方において互いに分離された右前身頃と右後身頃と、
前記左後身頃の脇に取り付けられた左後身頃脇紐と、
前記右後身頃の脇に取り付けられた右後身頃脇紐と、
前記右前身頃の襟の内側に取り付けた右前身頃襟紐と、
前記左前身頃の襟の内側に取り付けた左前身頃襟紐と、
前記右前身頃襟紐を通すべく、前記左前身頃の脇に取り付けた左前身頃脇ループと、
前記左前身頃襟紐を通すべく、前記右前身頃の脇に取り付けた右前身頃脇ループと
を有する上衣と、
筒状のスカートからなる下衣と
からなる二部式着物を用いた着付け方法であって、
前記上衣の袖に左右の腕を通す腕通しステップと、
前記左後身頃脇紐と前記右後身頃脇紐とを前で結ぶ後身頃紐結びステップと、
前記右前身頃襟紐を前記左前身頃脇ループに通し、前記左前身頃襟紐を前記右前身頃脇ループに通すループ通しステップと、
前記右前身頃襟紐と前記左前身頃襟紐とを背中で交差させて、身体の前で結ぶ前身頃紐結びステップと、
前記下衣に両足を通して、腰まで引き上げる下衣着用ステップと
からなる二部式着物の着付け方法。
【発明の詳細な説明】
【技術分野】
【０００１】
本発明は、婦人用で上衣と下衣とに別れたツーピース型の二部式着物及び着付け方法に関する。とりわけ、その上衣の身八つ口の下方において前身頃と後身頃とが離れた二部式着物及び着付け方法に関する。
【背景技術】
【０００２】
特許文献１には、着用する人の身丈に応じてその着丈を調節することができる上着をもつ二部式着物が開示されている。
特許文献２には、上衣の後身頃に、全体が伸縮性を有し両端に連結具をそなえた弾性紐の中央部を支持させ、弾性紐の一方の端部を左の身八つ口から通して右前身頃の衿縁に連結具により連結し、他方の端部を右脇から左前身頃の衿縁に連結具により連結し、それぞれ弾性紐により前身頃を合わせ方向に引っ張るようにした二部式着物が開示されている。
特許文献３には、上衣の胴裏側に裾に沿って帯状体が縫着され、この帯状体の両端が上衣を締め込む方向に着装者の胴部に密着して巻き付いた状態で互いに結紐可能な長さを有し、帯状体を結紐後、上衣の裾を胴裏側へ折り返すことで御端折りが形成可能な二部式着物が開示されている。
特許文献４には、内側の背縫い近傍に、背縫いをまたいで左右に紐先が取り付けられた背紐と、上前襟先止まり近傍に取り付けられた上前襟先紐と、下前襟先止まり近傍に取り付けられた下前襟先紐と、上前襟先の下端部に取り付けられた上前御端折り紐と、下前襟先の下端部に取り付けられた下前御端折り紐と、を有する二部式着物が開示されている。
【先行技術文献】
【特許文献】
【０００３】
【特許文献１】特開平１１−２４７００７号公報
【特許文献２】特開２００１−０９８４０２号公報
【特許文献３】特開２００２−２６６１１５号公報
【特許文献４】特開２０１７−１３７６０８号公報
【発明の概要】
【発明が解決しようとする課題】
【０００４】
特許文献１では着丈を調節すること、特許文献２では御端折りを形成することで一部式着物と同様の外観を得ること、特許文献３では簡単に美しい御端折りを形成することを課題として捉えて、それに対する解決手段を提供している。
特許文献４では着付けしやすく着崩れを防ぐために、上衣と下衣にわけ、その分割の形状とそれらを締めるための紐の取り付け位置とその引き回しを工夫することにより解決手段を提供する。
これらに見られるように、従来の二部式着物では、着付けの簡便さに焦点が当てられている。平常着（普段着）としての位置づけである。
上衣についていうと、上衣の裾を出して、上着感覚で羽織る形式のものが主流である。帯を締めること、外出着・正装を前提としていない。
下衣についていうと、紐の付いた巻きスカート式が一般的である。紐で結ぶ形式の下衣は、素人には形をつくることが難しい。また、着崩れしやすい。さらに、紐で結ぶ形式の下衣は、着ているうちに崩れた際にあとから調整することも困難である。
【０００５】
婦人用の一部式着物にあっては、左右の両脇に身八つ口（左身八つ口、右身八つ口）という大きな開口部があり、着崩れした際に、身八つ口から手を入れて着崩れを修正することができるようになっている。
従来の二部式着物にあっては、いずれも身八つ口の下方においては、前身頃と後身頃とが繋がっている（図７（ｂ）参照）。本発明の発明者は身八つ口の下方において、前身頃と後身頃とを分離させることで、着付けが短時間ででき、しかも身体にフィットする二部式着物を提供できると考えた。
本発明は、短時間で着ることができ、身体にフィットする二部式着物を提供することを目的とする。
【課題を解決するための手段】
【０００６】
本発明に係る二部式着物は、上衣および下衣に分離可能な二部式着物であって、前記上衣は、左身八つ口の下方において、左前身頃と左後身頃とが分離されており、右身八つ口の下方において、右前身頃と右後身頃とが分離されており、左後身頃の脇に取り付けられた左後身頃脇紐と、右後身頃の脇に取り付けられた右後身頃脇紐と、左前身頃の脇に取り付けられた左前身頃脇紐と、右前身頃の脇に取り付けられた右前身頃脇紐とを有し、前記右前身頃の襟の内側に、前記左前身頃脇紐を通す右前身頃ループを取り付け、前記左前身頃の襟の内側に、前記右前身頃脇紐を通す左前身頃ループを取り付けたものである。これにより、短時間で着ることができ、着崩れのしにくい二部式着物を提供できる。また、万一、着用中に調整が必要になる場合にも、調整しやすい。
また、本発明に係る二部式着物は、上衣および下衣に分離可能な二部式着物であって、前記上衣は、左身八つ口の下方において互いに分離された左前身頃と左後身頃と、右身八つ口の下方において互いに分離された右前身頃と右後身頃と、前記左後身頃の脇に取り付けられた左後身頃脇紐と、前記右後身頃の脇に取り付けられた右後身頃脇紐と、前記右前身頃の襟の内側に取り付けた右前身頃襟紐と、前記左前身頃の襟の内側に取り付けた左前身頃襟紐と、前記右前身頃襟紐を通すべく、前記左前身頃の脇に取り付けた左前身頃脇ループと、前記左前身頃襟紐を通すべく、前記右前身頃の脇に取り付けた右前身頃脇ループとを有する二部式着物としてもよい。すなわち、前身頃に設ける紐をつける位置とループをつける位置とを取り替えてもよい。これによっても、短時間で着付けができ、着崩れのしにくい二部式着物を提供できる。
【０００７】
前記左前身頃、前記左後身頃、前記右前身頃、前記右後身頃のそれぞれに胸部分よりもウェスト部分の寸法が小さくなるように、タック又はダーツを設けることができる。これにより、身体にフィットした外観形状を実現することができる。
【０００８】
前記左前身頃、前記左後身頃、前記右前身頃、前記右後身頃のそれぞれのウェスト部分よりも下方において、水平方向の広がりを設けることができる。これにより、上衣と下衣のつながりの外観の見栄えを保ちやすい。
【０００９】
前記下衣は、筒状のスカートとすることができる。これにより、短時間での着用が可能となる。
【００１０】
前記下衣の上部に天地方向に延在するファスナーを設ける、又は前記下衣の上部に水平方向に延在する幅広ゴムを設けることができる。これにより、下衣着用のフィット感を増すことができる。
【００１１】
また、本発明に係る二部式着物の着付け方法は、左身八つ口の下方において互いに分離された左前身頃と左後身頃と、右身八つ口の下方において互いに分離された右前身頃と右後身頃と、前記左後身頃の脇に取り付けられた左後身頃脇紐と、前記右後身頃の脇に取り付けられた右後身頃脇紐と、前記左前身頃の脇に取り付けられた左前身頃脇紐と、前記右前身頃の脇に取り付けられた右前身頃脇紐とを有し、前記右前身頃の襟の内側に、前記左前身頃脇紐を通す右前身頃ループを取り付け、前記左前身頃の襟の内側に、前記右前身頃脇紐を通す左前身頃ループを取り付けた上衣と、筒状のスカートからなる下衣とからなる二部式着物を用いた着付け方法であって、
前記上衣の袖に左右の腕を通す腕通しステップと、
前記左後身頃脇紐と前記右後身頃脇紐とを前で結ぶ後身頃紐結びステップと、
前記左前身頃脇紐を前記右前身頃ループに通し、前記右前身頃脇紐を前記左前身頃ループに通すループ通しステップと、
前記左前身頃脇紐と前記右前身頃脇紐とを背中で交差させて、身体の前で結ぶ前身頃紐結びステップと、
前記下衣に両足を通して、腰まで引き上げる下衣着用ステップとからなる。これにより、着崩れがしにくく、着用中の調整もしやすい。
さらにまた、本発明に係る二部式着物の着付け方法は、左身八つ口の下方において互いに分離された左前身頃と左後身頃と、右身八つ口の下方において互いに分離された右前身頃と右後身頃と、前記左後身頃の脇に取り付けられた左後身頃脇紐と、前記右後身頃の脇に取り付けられた右後身頃脇紐と、前記右前身頃の襟の内側に取り付けた右前身頃襟紐と、前記左前身頃の襟の内側に取り付けた左前身頃襟紐と、前記右前身頃襟紐を通すべく、前記左前身頃の脇に取り付けた左前身頃脇ループと、前記左前身頃襟紐を通すべく、前記右前身頃の脇に取り付けた右前身頃脇ループとを有する上衣と、筒状のスカートからなる下衣とからなる二部式着物を用いた着付け方法であって、前記上衣の袖に左右の腕を通す腕通しステップと、前記左後身頃脇紐と前記右後身頃脇紐とを前で結ぶ後身頃紐結びステップと、前記右前身頃襟紐を前記左前身頃脇ループに通し、前記左前身頃襟紐を前記右前身頃脇ループに通すループ通しステップと、前記右前身頃襟紐と前記左前身頃襟紐とを背中で交差させて、身体の前で結ぶ前身頃紐結びステップと、前記下衣に両足を通して、腰まで引き上げる下衣着用ステップとからなる。これにより、着崩れがしにくく、着用中の調整もしやすい。
【発明の効果】
【００１２】
本発明に係る二部式着物は、上述のように構成されているので、短時間で着ることができ、身体にフィットする。
また、本発明に係る二部式着物の着付け方法は、上述のように構成されているので、形を整えやすい。
【図面の簡単な説明】
【００１３】
【図１】身頃（前身頃、後身頃）を構成する布を袖に縫い付ける前の状態で広げて示す図である。
【図２】二部式着物の部品である表襟４０、後スカート６１、後身頃下３５、前身頃下３０、後身頃脇紐５５、おくみ３７を示す図である。
【図３】二部式着物の部品である前身頃脇紐５１、ループ４５、右前おくみ６４、裏襟４２、配色布４１、左スカート６２、スカート側襟６６を示す図である。
【図４】二部式着物の部品である袖２０、右スカート６５を示す図である。
【図５】ループを用いない場合の着付け方法を説明する図である。
【図６】ループを用いない場合の着付け方法を説明する図である（図５の続き）。
【図７】上衣を後ろから見た図である。図７（ａ）は本願発明の実施形態を示し、図７（ｂ）は従来例を示す。
【図８】図１、図２、図３、図４に示した本発明に係る二部式着物の部品を縫い合わせて仕上げた状態を示す。上衣を前から見た図(図８(a)）及び上衣を後ろから見た図（図８(ｂ)）である（実施例１）。
【図９】前後上身頃の身八つ口の部分において、裾部分を裾の端から脇下まで三角状に外側に出すこととした実施例である。上衣を前から見た図(図９(a)）及び上衣を後ろから見た図（図９(ｂ)）である（実施例２）。
【図１０】下衣を仕上げた状態を示す図である。図１０(a)は、前から見た図である。図１０(b)は、後ろから見た図である。図１０(c)は、幅広ゴムを取り付ける様子を説明する図である。
【図１１】ループを二つ設けて、それを用いる場合の着付け方法を説明する図である。
【図１２】ループを二つ設けて、それを用いる場合の着付け方法を説明する図である（続き）。
【図１３】ループを二つ設けて、それを用いる場合の着付け方法を説明する図である（さらに続き）。
【発明を実施するための形態】
【００１４】
本発明にあっては、帯（帯揚・帯締など）を締めることを前提とする二部式着物を提案する。
御端折りのない「対丈（ついたけ）式」の二部式着物とする。すなわち、上衣の裾を下衣（スカート）の中に入れることとする。
正装や外出着までを想定する。
小物の組合せも楽しめるものとする。
上衣の両サイド（身八つ口の下方の脇の前身頃と後身頃と）を切り離した構成を独自の裁断技術（洋装でいうパターン）により実現する。上衣の前身頃、後身頃のそれぞれにタックを設ける。上衣の前身頃、後身頃、それぞれの左右両脇に脇紐を設ける。下衣のウェスト位置に幅広のゴム（たとえば５センチ幅のゴム）を設ける。これらの組合せにより、自然の布のドレープをつくり出す。洋裁の技術を取り入れることで伝統的な着物のもつ着姿を実現する。
着用に用いる時間は、着付けに不慣れな人でも５分程度で可能である。慣れれば、１分４０秒程度で着用可能である。
上衣の右襟（左襟）の内側に、左（右）前身頃脇紐を通すことのできるループを設けることで、胸元・襟元の着崩れを防止する。また、このループは、着用中の調整を可能にする役割をも有する。
下衣は、「前あわせ」（おくみ、巻きスカート部）を縫い込んだ筒式のスカートとする。
下衣（スカート）は、洋式のパターン技術と、両サイド内側の適切な位置に幅広のゴムを設けることで、伝統的なラインを実現でき、動きまわった場合の裾回りなど、着崩れしにくい構造となっている。
下衣（スカート）の幅広ゴムにより、ウェストラインを上下調節可能である。これにより着丈を調節できるため、身長によるサイズ調整に対応可能である。
化繊素材や一般的な洋服地布（９０〜９２／１１０〜１２０センチメートルなど）、反物や、伝統的和服素材（正絹）を素材として用いることにも対応可能である。
着物リフォームにも適している。
以下、図面を参照しつつ本発明の実施形態について説明する。図中の符号が同一のものは、同様の構成、機能を有する。
【００１５】
≪縫製手順≫
本発明の二部式着物は、和布（反物）によって作ることもできるが、ここでは、洋布に型紙を当てて部品をつくり、それらを縫い合わせて完成させることとする。以下、縫製の手順を説明する。部品と他の部品との縫い合わせる作業について主に説明する。それぞれの部品の周囲をどのように処理するかについては、適宜省略する。
＜左身頃と右身頃とを後中心で縫いつける＞
図１は、本発明に係る二部式着物の身頃（前身頃、後身頃）１０を構成する布を袖に縫い付ける前の状態で広げて示す図である。図１に描くものは、左前身頃と左後身頃がつながっている左身頃１０Ｌである。図１に描く左身頃と左右対称の右身頃１０Ｒ（図示省略）が、右前身頃と右後身頃とが繋がっている部分である。それら２枚の身頃（左身頃１０Ｌと右身頃１０Ｒ）は、背中部分（後中心１１）で互いに縫い付けられる。身頃１０は、図１でほぼ真ん中を水平に横切る線である肩１２で折られる。
【００１６】
＜袖を縫い付ける＞
次に袖を縫いつける。袖は、図４（ａ）に描かれた袖２０（２０Ｌ）である。袖２０Ｌと左右対称な袖２０Ｒは描くのを省略している。ほぼ真ん中にある水平線が、身頃１０の肩に続く線である。袖付け２１は、身頃１０の袖接合部１３に縫い付けられる。身頃１０Ｌに袖２０Ｌが縫い付けられると同様に、身頃１０Ｒに袖２０Ｒが縫い付けられる。
【００１７】
＜タック又はダーツを縫う＞
身頃１０Ｌ、１０Ｒには、前身頃タックＴ０１、後身頃タックＴ０２が設けられる。前身頃、後身頃をそれぞれ身体にフィットさせるべく、立体的にするためである。これらのタックは、タックの代わりにダーツとしてもよい。ここでタックは、折り込んで縫い合わせて立体的にする技術である。ダーツは、折りたたまずに余分な布を切り取って縫い合わせて立体的にする技術である。
【００１８】
＜前身頃下、後身頃下を縫い合わせる＞
タックの処理をした後、身頃の前身頃下接合部１６，１７に前身頃下３０（図２参照）を縫い付ける。また、身頃の後身頃下接合部１８に後身頃下３５（図２参照）を縫い付ける。
【００１９】
＜おくみ及び襟を縫い合わせる＞
身頃１０Ｌ、１０Ｒにそれぞれおくみ３７を縫い合わせる。おくみ３７には、前身頃接合部３８と襟接合部３９とがある。前身頃接合部３８とおくみ接合部１５とが縫い合わされる。
襟は、表襟４０（図２参照）と裏襟４２（図３参照）との間に配色布４１（図３参照）をはさんで構成する。
そのようにして構成された襟を身頃の襟接合部１４及び、おくみの襟接合部３９に縫い合わせる。
【００２０】
＜前身頃脇紐、後身頃脇紐を縫いつける＞
前身頃脇紐５１は、２本設けられる（５１Ｒ、５１Ｌ）。そして、前身頃の左右両脇の前身頃脇紐接合部５２に縫い付ける。
後身頃脇紐５５は、２本設けられる（５５Ｒ、５５Ｌ）。そして、後身頃の左右両脇の前身頃脇紐接合部５６に縫い付ける。
脇紐を縫い付ける脇紐接合部は、ウェストに当たる部分ということができる。
【００２１】
＜スカートの縫製＞
後スカート６１は、左右対称のものもう一枚と合わせてスカートの後側を構成する。それら２枚は、後中心（図２の後スカートの右端の直線部分）で縫い合わされる。
左スカート６２及び右スカート６５は、それぞれカーブを有する側が後スカートと縫い合わされる。左スカート６２の直線部分をもつ端は、おくみ接合部６３であり、そこには右前おくみ６４が縫い合わされる。この右前おくみ６４があることにより、着物らしい外観を表現することができる。
【００２２】
≪着付け方法（ループを用いない着付け）≫
図５及び図６は、本発明に係る二部式着物の着付け方法を示す図である。
図５(a)は、上衣に両腕を通す状態を示す。
図５(b)は、後身頃両脇にある左後身頃脇紐５５Ｌ及び右後身頃脇紐５５Ｒを手探りで探している状態を示す。
図５(c)は、二つの後身頃脇紐をそれぞれ左右の両脇を通して前に持ってきた状態を示す。ここで、まだ掴んでいない前身頃脇紐は、二本とも下に垂れ下がった状態であることがわかる。
【００２３】
図５(d)は、左手で二本の後身頃脇紐を前で抑えた状態で、右手で後身頃のセンター（後中心）が背中の位置にしっかりと合っていること、また衣紋を抜く（首の後ろの襟を開ける）ことが適切にできていることを確かめるようすを示す。
図５(e)は、二本の後身頃脇紐を身体の前で結ぶ状態を示す。
図５(f)は、後身頃脇紐がしっかりと結べていることを確かめる状態を示す。
【００２４】
図５(g)は、二本の前身頃脇紐の位置を確認する状態を示す。
図５(h)は、二本の前身頃脇紐を身体の後で交差させる状態を示す。
図５(i)は、左右の前身頃を身体の前で重ねる状態を示す。
【００２５】
図６(j)は、左右の前身頃を身体の前で重ねた状態で、うしろから前身頃脇紐をもってくる状態を示す。
図６(k)は、前身頃脇紐を身体の前で結ぶ状態を示す。
図６(l)は、前身頃脇紐の結び目を整える状態を示す。
【００２６】
図６(m)は、下衣（スカート）を手にもつ状態を示す。
図６(n)は、下衣に片足を通す状態を示す。
図６(o)は、下衣に両足を通し、上に引き上げる状態を示す。
【００２７】
図６(p)は、腰回りの調整をする状態を示す。
図６(q)は、姿見を正面から見て概観を確かめる状態を示す。
図６(r)は、姿見で後の外観を確かめる状態を示す。
図５(a)から図６(r)までに要した時間は、１分４３秒であった。初めてこの二部式着物を着る人でも、５分以内で切ることができるものと期待できる。
【００２８】
≪ループを設けた実施例≫
図５、図６には、右襟の内側、左襟の内側にループを設けていない場合についての着付け方法を示してある。前述したようにループ４５を右襟の内側に縫い付けることで、左前身頃脇紐をループ４５に通してから結ぶことが可能となる。それを行うことで、着崩れがしづらく、また、着用中の調整がしやすいという効果が得られる。ループ４５は、上身頃の襟下から１８センチメートルのところに下を合わせて縫い付けることができる（図８参照）。このループを縫い付ける位置は、胸から下の部分またはウェストの部分にあたる。
同様にループを左襟の内側に縫い付けてループ４６を設けて、右前身頃脇紐をループ４６に通して結ぶこととすることができる。ループ４６もループ４５と同様に、上身頃の襟下から１８センチメートルのところに下を合わせて縫い付けることができる（図８参照）。
ループ４５、ループ４６は、襟の内側（裏側）に設けるのが望ましい。表と裏との境界部分に設けてもよい。図６で説明したように、左右の前身頃脇紐の結び目は、下衣によって隠される。したがって、結び目が目立たない。
【００２９】
図７には、二部式着物を後ろから見た図を描いてある。図７(a)は、本発明の二部式着物であり、図７(b)は、従来例である。従来例では、身八つ口の下方において、前身頃と後身頃とは縫い付けられている。
本発明にあっては、身八つ口の下方において、前身頃と後身頃とが分離されており、後身頃脇紐５５Ｒ、５５Ｌが後身頃の脇に縫い付けられ、前身頃脇紐５１Ｒ、５１Ｌが前身頃脇紐の脇に縫い付けられている。
図７では、本発明の最も根本となるアイデアを示す。すなわち従来例が身八つ口の下方において、前身頃と後身頃とが縫い付けられた構成であるのに対し、本発明の二部式着物にあっては、身八つ口の下方において前身頃と後身頃とが分離されているのが第一の特徴である。そして、左右の前身頃、左右の後身頃の脇に脇紐が縫い付けられていることが第二の特徴である。
【００３０】
≪部品を縫い合わせて仕上げた実施例（実施例１）≫
図８は、図１、図２、図３、図４に示した本発明に係る二部式着物の部品を縫い合わせて仕上げた状態を示している。図８(a)は、前から見た図である。図８(b)は、後ろから見た図である。前身頃脇紐５１Ｒ、５１Ｌは、前身頃の脇であって、前身頃下接合部１７（図１を参照）のすぐ上、すなわち前身頃の一番下の位置に縫い付けられる。図８(a)では、後身頃脇紐を描くのを省略している。
後身頃脇紐５５Ｒ、５５Ｌは、後身頃下接合部１８のすぐ下、すなわち後身頃下３５の最上部の位置に縫い付けられる（図１、図２を参照）。図８（b)では、前身頃脇紐を描くのを省略している。
また、左前身頃に設けるループ４６の位置が図８に示されている。前述したように上身頃の襟下から１８センチメートルのところに下を合わせて縫い付ける。また、ループ４６を襟の裏側に縫い付けるが、位置をわかりやすくするために、実線で図示している。
右前身頃に設けるループ４５の位置もまた、ループ４６と同様に上身頃の襟下から１８センチメートルのところに下を合わせて縫い付ける。ループ４５も、襟の裏側に縫い付ける。
【００３１】
≪裾部分を三角状に外側に出す実施例（実施例２）≫
図９には、前後上身頃（前身頃及び後身頃）の身八つ口の部分において、裾部分を裾の端から脇下まで三角状に外側に出すこととした実施例（実施例２）を示すものである。これにより脇の開きを防止することができる。
図９(a)は、前から見た図であり、図９(b)は、後から見た図である。左右の前身頃下３０及び左右の後身頃下３５がそれぞれ外側に三角状に出ており、裾部分が広がっている。これにより長時間、着用しても、脇が開くことを防止できる。
このことは、前記左前身頃、前記左後身頃、前記右前身頃、前記右後身頃のそれぞれのウェスト部分よりも下方において、水平方向の広がりを設けたと表現することもできる。
【００３２】
≪下衣（スカート）≫
図１０は、下衣を仕上げた状態を示す図である。図１０(a)は、前から見た図である。図１０(b)は、後ろから見た図である。図１０(c)は、幅広ゴムを取り付ける様子を説明する図である。
図１０(a)のスカート側襟６６は、上衣の襟に連続する部分である。下衣の左脇には、最上部にホックＨを設けて、その下にファスナーＦを上下に延在させる。これにより着る人が、着脱がしやすい。
さらに、後ろ側の内側には、幅広の平ゴムを水平方向に延在させて設ける。図１０(b)及び図１０(c)に示すＧ１、Ｇ２、Ｇ３、Ｇ４は、ゴム縫い付け位置を示している。図１０(c)に示すように、下衣の布地を水平方向にたるませた状態で幅広の平ゴムを縫い付ける。これにより、ウェストサイズがさまざまの人が着用可能となる。
この下衣を単独に着用して、通常のスカートとして用いることも可能である。
【００３３】
≪着付け方法（ループを用いる着付け）≫
図１１、図１２、図１３は、ループ（紐通し）を用いる着付け方法(a1)から(i3)までをる示す図である。
図１１(a1)は、両腕を袖に通す様子を示す。
図１１(a2)は、右後身頃脇紐をつかむ様子を示す。
図１１(a3)は、右後身頃脇紐を右手でつかみつつ、左後身頃脇紐を左手でつかむ様子を示す。
図１１(b1)は、右後身頃脇紐と、左後身頃脇紐とを体の前で結ぶ様子を示す。
図１１(b2)は、右後身頃脇紐と、左後身頃脇紐との結び目を整える様子を示す。
図１１(b3)は、衣紋を抜く動作を示す。首の後ろと襟の間が適切な間隔になるように、たとえば、姿見を見て調整する。調整のためには、後身頃の裾部分を両手でつかんで下に引っ張るようにする。
図１１(c1)は、左前身頃脇紐を、右前身頃ループに通し始める動作を示す。
図１１(c2)は、左前身頃脇紐を、右前身頃ループに通しつつある動作を示す。
図１１(c3)は、ループに通し終えた左前身頃脇紐を左手に持ち、右手で左前身頃をつかむ様子を示す。
【００３４】
図１２(d1)は、左手で左前身頃を持ち、ループに通し終えた左前身頃脇紐を右手に持ち、左前身頃脇紐を左前身頃の内側（身体に近い側）を通して後方に運ぶ動作を示す。
図１２(d2)は、右手で左前身頃の襟をつかみ、左手で左前身頃脇紐をつかんで、左前身頃脇紐と左前身頃との位置関係を調整する様子を示す。
図１２(d3)は、左前身頃と身体の間に位置する左前身頃脇紐を左ひじで押さえつつ、左手で左前身頃ループをつかみ、右手で右前身頃脇紐の先端をつかんで左前身頃ループに通そうとする動作を示す。
図１２(e1)は、右前身頃脇紐を左前身頃ループに通す動作を示す。
図１２(e2)は、左前身頃脇紐と、右前身頃脇紐とを背中で交差させて身体の前に持ってきた状態を示す。
図１２(e3)は、左前身頃脇紐と、右前身頃脇紐とを身体の前で結ぶ動作を示す。
図１２(f1)は、襟を調整する動作を示す。
図１２(f2)は、裾を調整する動作を示す。
図１２(f3)は、下衣を手にして、上下、前後、左右を確認する動作を示す。
【００３５】
図１３(g1)は、下衣に足を通す動作を示す。
図１３(g2)は、両足を通した下衣を引き上げる動作を示す。
図１３(g3)は、下衣の左に設けられたファスナーを引き上げる動作を示す。
図１３(h1)は、下衣によって、上衣の裾が隠れることを確認する動作をしめす。
図１３(h2)は、腕の動作が自由にできることを確認し、上衣の裾が下衣側に引かれ過ぎていないことを確認する動作を示す。
図１３(h3)は、左から見た姿を確認する動作を示す。
図１３(i1)は、後から見た姿を確認する動作を示す。
図１３(i2)は、右から見た姿を確認する動作を示す。
図１３(i3)は、正面から見た姿を確認する動作を示す。
【００３６】
図１１の(a1)から図１３の(i3)まで、27枚の図に描かれた動作を１分５６秒で行うことができた。ループをつかわない着付けが１分４３秒であったので、それより、１３秒長い時間がかかっている。しかし、ループを用いることにより、さらに着くずれがしづらい。
【００３７】
≪前身頃の紐の位置と、ループの位置とを入れ替えた実施例（実施例３）≫
前身頃の紐の位置は、図７、図８、図９に描いたものにおいては、脇であり、ループ（紐通し）の位置は、襟の内側であった。
実施例３では、紐を取り付ける位置と、ループ（紐通し）を取り付ける位置とを逆転させる。これによっても実施例１、実施例２と同様の効果を奏する。
すなわち、左右の前身頃の脇に縫い付ける紐を、左右の襟の内側に縫い付ける。この紐は、もはや脇紐と呼ぶのは不適切であるので、襟紐（左前身頃襟紐、右前身頃襟紐）と呼ぶ。
また、左右の襟の内側に取り付けるループを、左右の前身頃の脇に縫い付ける。このループは、左前身頃脇ループ、右前身頃脇ループと呼ぶ。
【００３８】
≪実施例３の着付け方法≫
実施例３の場合の着付けは、左身八つ口の下方において互いに分離された左前身頃と左後身頃と、右身八つ口の下方において互いに分離された右前身頃と右後身頃と、前記左後身頃の脇に取り付けられた左後身頃脇紐と、前記右後身頃の脇に取り付けられた右後身頃脇紐と、前記右前身頃の襟の内側に取り付けた右前身頃襟紐と、前記左前身頃の襟の内側に取り付けた左前身頃襟紐と、前記右前身頃襟紐を通すべく、前記左前身頃の脇に取り付けた左前身頃脇ループと、前記左前身頃襟紐を通すべく、前記右前身頃の脇に取り付けた右前身頃脇ループとを有する上衣と、筒状のスカートからなる下衣とからなる二部式着物を用いた着付け方法であって、前記上衣の袖に左右の腕を通す腕通しステップと、前記左後身頃脇紐と前記右後身頃脇紐とを前で結ぶ後身頃紐結びステップと、前記右前身頃襟紐を前記左前身頃脇ループに通し、前記左前身頃襟紐を前記右前身頃脇ループに通すループ通しステップと、前記右前身頃襟紐と前記左前身頃襟紐とを背中で交差させて、身体の前で結ぶ前身頃紐結びステップと、前記下衣に両足を通して、腰まで引き上げる下衣着用ステップとからなる。
ループを襟に設ける場合の着付けでは、脇紐をいったん前方に引っ張ってループを通してから、背中側にもっていく。
それに対し、ループを脇に設ける場合の着付けでは、襟紐を後に持っていって、ループを通して、そのまま背中側に持っていく。
この着付け方法の違いがある。
いずれの場合であっても、着崩れがしづらい着付けができ、着やすい二部式着物を提供可能である。
【００３９】
本発明の二部式着物は、伝統的、正調の着物に適用し、生地の質の高いものとすることができる。また、現代の生活様式で育った若い人の着物、料理店や旅館などで接待をする仲居さんのユニフォーム、外国人観光客のみやげもの、国際的なイベントの衣装、マスゲームのユニフォームなどにも利用可能である。
新品としての適用のみならず、古着などのお直しに適用することもできる。
【符号の説明】
【００４０】
１０  身頃
１０Ｌ  左身頃
１０Ｒ  右身頃
１１  後中心
１２  肩
１３  袖接合部
１４  襟接合部
１５  おくみ接合部
１６  前身頃下接合部
１７  前身頃下接合部
１８  後身頃下接合部
２０  袖
２１  袖付け
２２  袖口
３０  前身頃下
３５  後身頃下
３７  おくみ
３８  前身頃接合部
３９  襟接合部
４０  表襟
４１  配色布
４２  裏襟
４５、４６  ループ
５１  前身頃脇紐
５２  前身頃脇紐接合部
５５  後身頃脇紐
５６  後身頃脇紐接合部
６１  後スカート
６２  左スカート
６３  おくみ接合部
６４  右前おくみ
６５  右スカート
６６  スカート側襟
Ｔ０１  前身頃タック
Ｔ０２  後身頃タック
Ｆ    ファスナー
Ｇ１,Ｇ２，Ｇ３，Ｇ４  ゴム縫い付け位置
Ｈ    ホック
【図１】
2018131725.tif 000003
【図２】
2018131725.tif 000004
【図３】
2018131725.tif 000005
【図４】
2018131725.tif 000006
【図５】
2018131725.tif 000007
【図６】
2018131725.tif 000008
【図７】
2018131725.tif 000009
【図８】
2018131725.tif 000010
【図９】
2018131725.tif 000011
【図１０】
2018131725.tif 000012
【図１１】
2018131725.tif 000013
【図１２】
2018131725.tif 000014
【図１３】
2018131725.tif 000015